(57)【要約】  本発明は、通路および／または小腔を含有する、エラスチンが低減された軟骨スキャフォールドを生成する方法であって、弾性軟骨試料を提供するステップと、上記軟骨試料からエラスチンを低減させて、上記通路および／または小腔を生成するステップとを含む方法に関する。本発明はさらに、エラスチンが低減された軟骨スキャフォールドに関する。上記エラスチンが低減された軟骨スキャフォールドは、軟骨の修復、骨軟骨欠損の修復および骨欠損の修復のための、ｉｎ  ｖｉｖｏでの移植方法において使用され得る。【特許請求の範囲】
【請求項１】
通路および／または小腔を含有する軟骨スキャフォールドを生成する方法であって、
弾性軟骨試料を提供するステップと、
前記軟骨試料を、１つまたは複数の酵素を含む溶液とともにインキュベートして、それにより、前記軟骨試料のエラスチン含有量を低減させて、軟骨スキャフォールドに通路および／または小腔を生成するステップと
を含む方法。
【請求項２】
エラスチン含有量が、約５０％、好ましくは約２５％、好ましくは約１０％、好ましくは約１％に低減される、請求項１に記載の方法。
【請求項３】
軟骨スキャフォールドが、１Ｕ／ｍｌ〜１２Ｕ／ｍｌ、または２Ｕ／ｍｌ〜１０Ｕ／ｍｌ、または３Ｕ／ｍｌ〜５Ｕ／ｍｌの１つまたは複数の酵素を含む溶液とともにインキュベートされる、請求項１または２に記載の方法。
【請求項４】
溶液が、エラスターゼ酵素、および任意選択で、１つまたは複数の他のタンパク質分解酵素を含む、請求項３に記載の方法。
【請求項５】
エラスターゼ酵素が、膵エラスターゼであり、さらなるタンパク質分解酵素が、ペプシンである、請求項３または４に記載の方法。
【請求項６】
軟骨スキャフォールドが、３Ｕ／ｍｌのエラスターゼを含む溶液とともにインキュベートされる、請求項３に記載の方法。
【請求項７】
軟骨スキャフォールドが、脱細胞化ステップに付される、請求項１〜６のいずれか一項に記載の方法。
【請求項８】
軟骨スキャフォールドが、汚染除去ステップにさらに付される、請求項１〜７のいずれか一項に記載の方法。
【請求項９】
インキュベーションステップが、０．５時間〜８０時間、または５時間〜７８時間、または２０時間〜５０時間実施される、請求項１〜８のいずれか一項に記載の方法。
【請求項１０】
細胞を、エラスチンが低減された軟骨スキャフォールドに接着させることによって、前記スキャフォールドを再細胞化させるステップをさらに含む、請求項１〜９のいずれか一項に記載の方法。
【請求項１１】
軟骨スキャフォールドが、軟骨スキャフォールドの通路および／または小腔への細胞の遊走によって再細胞化される、請求項１０に記載の方法。
【請求項１２】
細胞が、軟骨スキャフォールド上へ、および／または軟骨スキャフォールドの通路および／または小腔へ細胞を注入することによって播種される、請求項１１に記載の方法。
【請求項１３】
軟骨スキャフォールドの再細胞化に使用される細胞が、軟骨細胞、軟骨膜細胞、骨膜細胞、ならびに脂肪由来間質血管幹細胞、滑膜由来間葉系細胞および骨髄由来間質細胞等の幹細胞／前駆細胞等の軟骨形成能または骨形成能を有する細胞である、請求項１０〜１２のいずれか一項に記載の方法。
【請求項１４】
軟骨スキャフォールドの再細胞化に使用される細胞が、前記軟骨スキャフォールドのレシピエントから得られる自己ヒト細胞である、請求項１０〜１３のいずれか一項に記載の方法。
【請求項１５】
軟骨スキャフォールドの再細胞化に使用される細胞が、前記軟骨スキャフォールドのレシピエントではない個体から得られる同種ヒト細胞である、請求項１０〜１４のいずれか一項に記載の方法。
【請求項１６】
通路および／または小腔を含むエラスチンが低減された軟骨スキャフォールド。
【請求項１７】
軟骨細胞、軟骨膜細胞、骨膜細胞、ならびに脂肪由来間質血管幹細胞、滑膜由来間葉系細胞および骨髄由来間質細胞等の幹細胞／前駆細胞からなる群から選択される細胞をさらに含む、請求項１６に記載のエラスチンが低減された軟骨スキャフォールド。
【請求項１８】
関節、鼻、気道および耳軟骨等の軟骨の修復、骨軟骨欠損の修復および骨欠損の修復の方法における使用のための請求項１６または１７に記載の軟骨スキャフォールド。
【発明の詳細な説明】
【技術分野】
【０００１】
[0001]本発明は、組織移植片の分野に関する。より具体的には、本発明は、軟骨移植片の改良の分野に関する。特に、本発明は、スキャフォールドの再細胞化（ｒｅｃｅｌｌｕｌａｒｉｚａｔｉｏｎ）を可能にする通路（ｃｈａｎｎｅｌ）および／または小腔（ｌａｃｕｎａｅ）を含有する軟骨スキャフォールドのエラスチンを低減する方法に関する。
【背景技術】
【０００２】
[0002]身体における臓器は、先天性障害、後天性疾患、事故および老齢に起因して、機能が低下する場合がある。臓器の移植は、ドナー臓器の不足、および臓器拒絶を防止するために免疫系を抑制する必要があることの両方によって困難なものになっている。この数十年間、臓器を構成する細胞の本発明者らの知見は、急速に拡大されており、掻爬片（ｓｃｒａｔｃｈ）からの移植用の臓器の創出（いわゆる組織工学）はますます現実的になっている。臓器は、細胞およびマトリックスの組合せであり、後者は、細胞を適所に保持する三次元構造を提供する。細胞は、各人に特有のマーカーを保有し、身体が外来組織を認識し、免疫応答を示すことによって外来組織を拒絶することを可能にしており、故に、異なる個体間での臓器移植後の免疫抑制が必要とされる。しかしながら、マトリックスを形成する分子は、人々の間で、分子によっては、ヒトと他の動物との間でさえ、同一でないとしても類似している。マトリックスは、組織に構造を提供するため、臓器を作製するための出発物であるスキャフォールドとしてそれらを使用することは、魅力的であるように思われる。このため、脱細胞化（ｄｅｃｅｌｌｕｌａｒｉｚａｔｉｏｎ）と呼ばれる第１のステップでは、細胞が、臓器から除去されて、スキャフォールドを残す。再細胞化と称される第２のステップでは、スキャフォールドへの定着が再び生じるように、レシピエント、即ち、臓器を必要とする患者に由来する細胞が注入されることもある。心臓および膀胱等の臓器に関しては、このアプローチは、見込みがあると示されているが、組織工学は依然として、臨床よりも実験台で行う学問である。
【０００３】
[0003]軟骨は、堅固な構造を柔軟にする。軟骨は、例えば、筋肉よりも頑丈であり、さらに骨とは対照的に、破損することなく変形することが可能である。したがって、軟骨は、柔軟性が必要とされる箇所ならばどこにでも存在する。気管および鼻において、軟骨は、気道を開放し続けるのに十分硬いが、呼吸および会話に必要とされる動きに適応するように変形することも可能である。その柔軟性はまた、バイクのタイヤに非常に類似して、例えば関節における骨表面の薄層として、または脊椎の椎間板として存在する場合に、軟骨を、衝撃吸収体として機能させる。軟骨の柔軟性は、硬いが、弾性のあるマトリックスと組み合わせた可逆的な保水性という簡素な原理に起因する。
【０００４】
[0004]軟骨スキャフォールドは、絡み合った保水性分子を伴う構造線維のネットワークである。力がかかると、水が軟骨から絞り出されて、組織が収縮する。力が除かれると、水は戻り、軟骨は、その本来のサイズまで膨潤する。
【０００５】
[0005]ほとんどの他の組織とは異なり、軟骨は治癒しない。例えば、外傷後、または手術中に損傷を受けると、軟骨は分解して、それにより、軟骨によって通常吸収される機械的な力が、多くの場合、崩壊を加速させる。軟骨損傷は、重要な医療問題であり、整形外科および頭頸部外科の医療分野では最重要である。身体は、損傷を受けた軟骨を修復することが不可能であるので、組織は置換されなくてはならない。軟骨は、１つの細胞型のみ、つまり軟骨細胞を含有し、理論上は、心臓等の、より複雑な臓器と比較すると、その作製はそれほどの難題でもないため、科学者が作製しようと試みた最初の組織の１つであった。
【０００６】
[0006]軟骨を脱細胞化するのに、多くのプロトコルが開発されている一方で、ステップ２である再細胞化は不可能であることが明らかになってきた。軟骨は、コラーゲン線維のその高密度なネットワークおよび血管の不足のため、細胞浸潤するように改変できない。軟骨スキャフォールド中に存在する軟骨細胞は、高密度なコラーゲンネットワーク中の孔を通って洗い流されるのに十分小さな小片へと破壊された場合に除去することができる一方で、新たな細胞は一般的に、大きすぎて、ネットワークに入ることができない。さらに、細胞外マトリックスへの細胞接着は、グリコサミノグリカン（ＧＡＧ）の存在によって防止される可能性がある（Ｂａｒａら、２０１２．Ｃｏｎｎｅｃｔ  Ｔｉｓｓｕｅ  Ｒｅｓ  ５３：２２０〜８）。未公開の観察により、軟骨細胞、骨髄由来間質細胞（ＢＭＳＣ）、およびさらには、高侵襲性癌細胞株は、脱細胞化された軟骨へ遊走することが不可能であったことが示されている。さらに、移植片が免疫細胞による浸潤を起こしやすい高度に血管新生された環境であるマウスの皮膚下に移植された脱細胞化された自然軟骨は、細胞浸潤の徴候を全く示さなかった（未公開データ）。
【０００７】
[0007]米国特許第２００８／０７７２５１号は、軟骨移植片をきれいにして、消毒することと、前処理溶液で軟骨移植片を処理することと、抽出溶液で軟骨移植片を処理することと、抽出された軟骨移植片を、すすぎ溶液で洗浄することと、続いて生命活性を失った軟骨移植片を貯蔵溶液に浸漬することとによって、きれいにした消毒済の生命活性を失った軟骨移植片を生成する方法を開示している。軟骨マトリックスの細胞外マトリックスは、修飾するためのコンドロイチナーゼＡＢＣを含む前処理溶液によって修飾される。続いて、生命活性を失った軟骨移植片は、移植前または移植後に、生細胞を用いて再細胞化して、組織に生命活性を与えてもよい。国際公開第２００９／１４９２２４号は、無細胞組織マトリックス（ＡＴＭ）から、修飾された無細胞組織マトリックス（ｍＡＴＭ）を生成する方法を開示しており、そこでは、ｍＡＴＭは、その関連構造完全性または機能的完全性を実質的に損なうことなく、ＡＴＭに対して、伸縮性が低減されている。この方法は、軟骨を脱細胞化することと、それを０．１Ｕ／ｍｌ〜０．５Ｕ／ｍｌのブタ膵エラスターゼで、１２時間〜２４時間処理し、したがって、存在するエラスチンの少なくとも一部を除去することとを含む。次に、スキャフォールドは、自己または同種骨髄細胞とともに播種される。
【発明の概要】
【発明が解決しようとする課題】
【０００８】
[0008]軟骨試料の脱細胞化に関する既存の方法は、構造特性および機械特性を維持しながら、細胞が軟骨スキャフォールドに浸潤して再細胞化することを可能にしないが、軟骨スキャフォールドの再細胞化は、移植後に、完全に機能的な軟骨を保証して、マトリックスを維持して、スキャフォールドの分解を防ぐのに必須である。したがって、軟骨スキャフォールドの首尾よい再細胞化を達成することにより、軟骨移植片の品質が大いに改善される。
【課題を解決するための手段】
【０００９】
[0009]本発明は、ａ）弾性軟骨試料を提供するステップと、ｂ）上記軟骨試料からエラスチンを低減させて、エラスチンが低減された軟骨スキャフォールドを生成するステップとを含む、エラスチンが低減された軟骨スキャフォールドを生成する方法を提供する。硝子軟骨および線維軟骨とは対照的に、弾性軟骨は、コラーゲンネットワークを横行して、軟骨細胞が存在する小腔と称されるポケットを包囲するエラスチンの大きな線維束を含有する。本発明は、弾性軟骨試料からエラスチン線維を除去し、細胞が、エラスチンが低減された弾性軟骨スキャフォールドに浸潤および結合することを可能にすることによってこの問題を解決する。
【００１０】
[0010]軟骨スキャフォールドは、ヒトから、例えば、軟骨スキャフォールドを移植片として受け入れる軟骨欠損を患うヒト、移植片のレシピエントに由来しない同種ドナーから、または異種供給源から得られ得る。結果産物のエラスチンが低減された軟骨スキャフォールドは主に、哺乳類種で保存されるタンパク質および線維で構成される。したがって、同種供給源または異種供給源由来のスキャフォールドは、ヒトレシピエントへの移植後に免疫反応を起こさないと予想される。
【００１１】
[0011]本発明の方法では、エラスチン線維は、軟骨スキャフォールドからエラスチン線維を低減させるステップに先立って、エラスチン線維の量の約５０％、好ましくは約２５％、好ましくは約１０％、好ましくは１％、好ましくは完全な除去にまで、軟骨スキャフォールドから低減される。この低減は、好ましくは、軟骨スキャフォールドを、好ましくはブタ膵エラスターゼ等のエラスターゼを含む１つまたは複数の酵素とともにインキュベートすることによって得られる。このため、軟骨スキャフォールドは、一実施形態において、１Ｕ／ｍｌ〜１２Ｕ／ｍｌの酵素とともに、または一実施形態において、２Ｕ／ｍｌ〜１０Ｕ／ｍｌの酵素とともに、またはさらなる実施形態において、３Ｕ／ｍｌ〜５Ｕ／ｍｌの酵素とともに、またはさらなる実施形態において、約３Ｕ／ｍｌの酵素とともにインキュベートされることもある。一実施形態において、酵素は、エラスターゼ酵素、具体的には膵エラスターゼである。
【００１２】
[0012]あるいは、軟骨スキャフォールドは、少なくとも１つの他のタンパク質分解酵素と組み合わせて、エラスターゼとともにインキュベートされ得る。一実施形態において、インキュベーション溶液は、０．０１Ｕ／ｍｌ〜１０Ｕ／ｍｌのエラスターゼおよび０．０５ｍｇ／ｍｌ〜５ｍｇ／ｍｌのペプシン、好ましくは約１ｍｇ／ｍｌのペプシンを含む。好ましくはエラスターゼを含む１つまたは複数の酵素との上記インキュベーションは、エラスチンを除去して、それにより軟骨スキャフォールド中に通路および／または小腔を生成するのに、０．５時間〜８０時間、好ましくは少なくとも約２４時間〜４８時間、好ましくは約２４時間の軟骨スキャフォールドのインキュベーションを含むことが好ましい。
【００１３】
[0013]任意選択で、軟骨試料は、エラスチンの低減前または低減後に、脱細胞化ステップに付される。
[0014]軟骨試料が無菌でない場合、軟骨試料は、エラスチンの低減前または低減後に汚染除去ステップに付され得る。
【００１４】
[0015]エラスチンが低減された弾性軟骨マトリックスは、耳欠損または耳奇形等の弾性軟骨欠損の修復に使用され得る。しかしながら、驚くべきことに、エラスチンが低減された弾性軟骨はまた、関節欠損、鼻欠損、気道欠損および肋骨欠損等の硝子軟骨欠損の修復に、椎間板欠損等の線維軟骨欠損の修復に、およびさらには、骨軟骨欠損および骨欠損の修復にも使用することができることが見出された。
【００１５】
[0016]軟骨スキャフォールドの再細胞化は、移植後のレシピエント由来の細胞によって、または移植に先立って軟骨スキャフォールドに供給される細胞によって達成され得る。
[0017]本発明の方法は、細胞を、エラスチンが低減された軟骨スキャフォールドへ接着させることによって、エラスチンが低減された軟骨スキャフォールドを再細胞化するステップを含み得る。これは、細胞を、エラスチンが低減された軟骨スキャフォールドへ播種することによって、または細胞を、エラスチンが低減された軟骨スキャフォールドへ注入することと、上記細胞を、エラスチンが低減された軟骨スキャフォールドの空の通路および小腔へ遊走させることとによって達成され得る。細胞を、軟骨スキャフォールドへ注入するために、針を使用してもよい。 
【００１６】
[0018]軟骨スキャフォールドの再細胞化に使用される細胞は、好ましくは、軟骨形成能または骨形成能を有する細胞である。かかる細胞として、軟骨細胞、軟骨膜細胞、骨膜細胞、ならびに脂肪由来間質血管幹細胞、滑膜由来細胞、本来のマトリックスを有するか、または有さない羊膜由来細胞、および骨髄由来間質細胞等の幹細胞／前駆細胞が挙げられる。上記細胞は、好ましくは、自己ヒト細胞、即ち、移植片のレシピエント由来の細胞、または同種ヒト細胞、即ち、移植のレシピエントではない個体由来の細胞である。上記同種ヒト細胞は、好ましくは、移植片のレシピエントに、好ましくはヒト白血球抗原（ＨＬＡ）適合および／または血液型適合によって遺伝的に適合されるか、または免疫回避性であり、即ち、いかなる悪影響も招かない。
【００１７】
[0019]本発明はさらに、本発明の方法によって得られる、エラスチンが低減された軟骨スキャフォールド自体、または再細胞化されたエラスチンが低減された軟骨スキャフォールドを提供する。上記軟骨スキャフォールドは、軟骨の修復方法において使用され得る。
【００１８】
[0020]本発明の一実施形態は、通路および／または小腔を含むエラスチンが低減された軟骨スキャフォールドに関する。具体的には、軟骨スキャフォールドの通路および／または小腔は、酵素処理の、具体的にはエラスターゼ処理の結果として得られる。
【００１９】
[0021]本発明の一実施形態において、エラスチンが低減された軟骨スキャフォールドはさらに、再細胞化された軟骨スキャフォールドであってもよい。したがって、本発明の一実施形態において、エラスチンが低減された軟骨スキャフォールドは、細胞を、具体的には、軟骨細胞、軟骨膜細胞、骨膜細胞、ならびに脂肪由来間質血管幹細胞、滑膜由来間葉系細胞および骨髄由来間質細胞等の幹細胞／前駆細胞からなる群から選択される細胞を播種されている。
【００２０】
[0022]エラスチンが低減された弾性軟骨スキャフォールドは、耳軟骨等の弾性軟骨の修復方法においてだけでなく、関節軟骨、鼻軟骨および気道軟骨等の硝子軟骨および線維軟骨の修復にも使用することができる。上記軟骨スキャフォールドは、骨軟骨欠損の修復および骨欠損の修復の方法において使用することができる。
【図面の簡単な説明】
【００２１】
【図１Ａ】[0023]弾性線維束に関するレゾルシン−フクシン染色により、ウシ耳介軟骨における弾性線維の存在（Ａ、Ｂは拡大図）ならびにエラスターゼによる処理後の線維の除去ならびに通路および小腔の開口（Ｃ、Ｄ）が示される。エラスターゼ処理したウシ耳介軟骨にＢＭＳＣを播種し、培養後６日のヘマトキシリン−エオシン染色で、細胞が、組織内に遊走している（Ｅ）、および細長い形状を示しチャネルを介して遊走している（Ｆ、拡大図）。ＢＭＳＣを再度播種して、３５日間、軟骨形成性に分化された、エラスチンが低減された耳介軟骨のチオニン染色（Ｇ）。濃い染色は、グリコサミノグリカンを示し、既存の軟骨スキャフォールド内に新たに形成された軟骨を示す。４つの異なる試料を示す。
【図１Ｂ】弾性線維束に関するレゾルシン−フクシン染色により、ウシ耳介軟骨における弾性線維の存在（Ａ、Ｂは拡大図）ならびにエラスターゼによる処理後の線維の除去ならびに通路および小腔の開口（Ｃ、Ｄ）が示される。エラスターゼ処理したウシ耳介軟骨にＢＭＳＣを播種し、培養後６日のヘマトキシリン−エオシン染色で、細胞が、組織内に遊走している（Ｅ）、および細長い形状を示しチャネルを介して遊走している（Ｆ、拡大図）。ＢＭＳＣを再度播種して、３５日間、軟骨形成性に分化された、エラスチンが低減された耳介軟骨のチオニン染色（Ｇ）。濃い染色は、グリコサミノグリカンを示し、既存の軟骨スキャフォールド内に新たに形成された軟骨を示す。４つの異なる試料を示す
【図１Ｃ】弾性線維束に関するレゾルシン−フクシン染色により、ウシ耳介軟骨における弾性線維の存在（Ａ、Ｂは拡大図）ならびにエラスターゼによる処理後の線維の除去ならびに通路および小腔の開口（Ｃ、Ｄ）が示される。エラスターゼ処理したウシ耳介軟骨にＢＭＳＣを播種し、培養後６日のヘマトキシリン−エオシン染色で、細胞が、組織内に遊走している（Ｅ）、および細長い形状を示しチャネルを介して遊走している（Ｆ、拡大図）。ＢＭＳＣを再度播種して、３５日間、軟骨形成性に分化された、エラスチンが低減された耳介軟骨のチオニン染色（Ｇ）。濃い染色は、グリコサミノグリカンを示し、既存の軟骨スキャフォールド内に新たに形成された軟骨を示す。４つの異なる試料を示す
【図１Ｄ】弾性線維束に関するレゾルシン−フクシン染色により、ウシ耳介軟骨における弾性線維の存在（Ａ、Ｂは拡大図）ならびにエラスターゼによる処理後の線維の除去ならびに通路および小腔の開口（Ｃ、Ｄ）が示される。エラスターゼ処理したウシ耳介軟骨にＢＭＳＣを播種し、培養後６日のヘマトキシリン−エオシン染色で、細胞が、組織内に遊走している（Ｅ）、および細長い形状を示しチャネルを介して遊走している（Ｆ、拡大図）。ＢＭＳＣを再度播種して、３５日間、軟骨形成性に分化された、エラスチンが低減された耳介軟骨のチオニン染色（Ｇ）。濃い染色は、グリコサミノグリカンを示し、既存の軟骨スキャフォールド内に新たに形成された軟骨を示す。４つの異なる試料を示す
【図１Ｅ】弾性線維束に関するレゾルシン−フクシン染色により、ウシ耳介軟骨における弾性線維の存在（Ａ、Ｂは拡大図）ならびにエラスターゼによる処理後の線維の除去ならびに通路および小腔の開口（Ｃ、Ｄ）が示される。エラスターゼ処理したウシ耳介軟骨にＢＭＳＣを播種し、培養後６日のヘマトキシリン−エオシン染色で、細胞が、組織内に遊走している（Ｅ）、および細長い形状を示しチャネルを介して遊走している（Ｆ、拡大図）。ＢＭＳＣを再度播種して、３５日間、軟骨形成性に分化された、エラスチンが低減された耳介軟骨のチオニン染色（Ｇ）。濃い染色は、グリコサミノグリカンを示し、既存の軟骨スキャフォールド内に新たに形成された軟骨を示す。４つの異なる試料を示す
【図１Ｆ】弾性線維束に関するレゾルシン−フクシン染色により、ウシ耳介軟骨における弾性線維の存在（Ａ、Ｂは拡大図）ならびにエラスターゼによる処理後の線維の除去ならびに通路および小腔の開口（Ｃ、Ｄ）が示される。エラスターゼ処理したウシ耳介軟骨にＢＭＳＣを播種し、培養後６日のヘマトキシリン−エオシン染色で、細胞が、組織内に遊走している（Ｅ）、および細長い形状を示しチャネルを介して遊走している（Ｆ、拡大図）。ＢＭＳＣを再度播種して、３５日間、軟骨形成性に分化された、エラスチンが低減された耳介軟骨のチオニン染色（Ｇ）。濃い染色は、グリコサミノグリカンを示し、既存の軟骨スキャフォールド内に新たに形成された軟骨を示す。４つの異なる試料を示す
【図１Ｇ】弾性線維束に関するレゾルシン−フクシン染色により、ウシ耳介軟骨における弾性線維の存在（Ａ、Ｂは拡大図）ならびにエラスターゼによる処理後の線維の除去ならびに通路および小腔の開口（Ｃ、Ｄ）が示される。エラスターゼ処理したウシ耳介軟骨にＢＭＳＣを播種し、培養後６日のヘマトキシリン−エオシン染色で、細胞が、組織内に遊走している（Ｅ）、および細長い形状を示しチャネルを介して遊走している（Ｆ、拡大図）。ＢＭＳＣを再度播種して、３５日間、軟骨形成性に分化された、エラスチンが低減された耳介軟骨のチオニン染色（Ｇ）。濃い染色は、グリコサミノグリカンを示し、既存の軟骨スキャフォールド内に新たに形成された軟骨を示す。４つの異なる試料を示す。
【図２Ａ】[0024]ヒト関節軟骨細胞を注入して、軟骨形成培地中で６日間培養した、エラスチンが低減された耳介軟骨のヘマトキシリン−エオシン染色により、（Ａ）注入部位（黒星で示される）から離れた細胞の分布および（Ｂ、Ａの拡大図）高い細胞密度が示される。（Ｃ、Ｄ）ヒト関節軟骨細胞を注入して軟骨形成培地中で３５日間培養した、エラスチンが低減された耳介軟骨のチオニン染色により、（Ｃ）注入部位（黒星で示される）から離れた、および（Ｄ）遊走している軟骨細胞周辺の濃い着色領域を特徴とする軟骨様マトリックスの原位置での形成が示される。
【図２Ｂ】ヒト関節軟骨細胞を注入して、軟骨形成培地中で６日間培養した、エラスチンが低減された耳介軟骨のヘマトキシリン−エオシン染色により、（Ａ）注入部位（黒星で示される）から離れた細胞の分布および（Ｂ、Ａの拡大図）高い細胞密度が示される。（Ｃ、Ｄ）ヒト関節軟骨細胞を注入して軟骨形成培地中で３５日間培養した、エラスチンが低減された耳介軟骨のチオニン染色により、（Ｃ）注入部位（黒星で示される）から離れた、および（Ｄ）遊走している軟骨細胞周辺の濃い着色領域を特徴とする軟骨様マトリックスの原位置での形成が示される。
【図２Ｃ】ヒト関節軟骨細胞を注入して、軟骨形成培地中で６日間培養した、エラスチンが低減された耳介軟骨のヘマトキシリン−エオシン染色により、（Ａ）注入部位（黒星で示される）から離れた細胞の分布および（Ｂ、Ａの拡大図）高い細胞密度が示される。（Ｃ、Ｄ）ヒト関節軟骨細胞を注入して軟骨形成培地中で３５日間培養した、エラスチンが低減された耳介軟骨のチオニン染色により、（Ｃ）注入部位（黒星で示される）から離れた、および（Ｄ）遊走している軟骨細胞周辺の濃い着色領域を特徴とする軟骨様マトリックスの原位置での形成が示される。
【図２Ｄ】ヒト関節軟骨細胞を注入して、軟骨形成培地中で６日間培養した、エラスチンが低減された耳介軟骨のヘマトキシリン−エオシン染色により、（Ａ）注入部位（黒星で示される）から離れた細胞の分布および（Ｂ、Ａの拡大図）高い細胞密度が示される。（Ｃ、Ｄ）ヒト関節軟骨細胞を注入して軟骨形成培地中で３５日間培養した、エラスチンが低減された耳介軟骨のチオニン染色により、（Ｃ）注入部位（黒星で示される）から離れた、および（Ｄ）遊走している軟骨細胞周辺の濃い着色領域を特徴とする軟骨様マトリックスの原位置での形成が示される。
【図３Ａ】[0025]マウスへ皮下移植したウシ関節欠損モデルへ配置させた、エラスチンが低減された耳介軟骨。（Ａ、Ｂ）骨軟骨欠損における播種細胞を伴わない軟骨移植片（ＢはＡの拡大図）。骨関節欠損モデルの骨部分からの、および程度は劣るが、軟骨部分からの細胞の浸潤に起因して、チオニン染色後の濃い着色領域を特徴とする新たな軟骨の原位置での形成；白い矢頭は、エラスチンが低減された軟骨マトリックスにおける新たに形成された軟骨を示し、黒い矢頭は、自然の無傷のウシ軟骨を示す。（Ｃ、Ｄは拡大図）関節モデルの骨性部分へのアクセスが、欠損（軟骨欠損）の下の無傷の石灰化軟骨層により制限された場合、ウシ関節欠損モデルの軟骨部分からの細胞のみが、軟骨移植片に浸潤して、新たな軟骨を形成した。白い矢頭は、エラスチンが低減された軟骨マトリックスにおける新たに形成された軟骨を示し、黒い矢頭は、自然の無傷のウシ軟骨を示し、網掛けの矢頭は、自然の石灰化ウシ軟骨を示す。（Ｅ、Ｆは拡大図）白線で境界が定められ、ヒト関節軟骨細胞を播種して、ウシ関節欠損モデルへ配置され、マウスへ皮下移植された、エラスチンが低減された耳介軟骨。ウシ関節欠損モデルの骨性部分からの細胞の浸潤が防止されると、軟骨様マトリックスはまた、耳介軟骨内でも形成され、播種された細胞が、同様に移植片を活性化することができることを示す。白い矢頭は、エラスチンが低減された軟骨マトリックスにおける新たに形成された軟骨を示し、網掛けの矢頭は、自然の石灰化したウシ軟骨を示す。
【図３Ｂ】マウスへ皮下移植したウシ関節欠損モデルへ配置させた、エラスチンが低減された耳介軟骨。（Ａ、Ｂ）骨軟骨欠損における播種細胞を伴わない軟骨移植片（ＢはＡの拡大図）。骨関節欠損モデルの骨部分からの、および程度は劣るが、軟骨部分からの細胞の浸潤に起因して、チオニン染色後の濃い着色領域を特徴とする新たな軟骨の原位置での形成；白い矢頭は、エラスチンが低減された軟骨マトリックスにおける新たに形成された軟骨を示し、黒い矢頭は、自然の無傷のウシ軟骨を示す。（Ｃ、Ｄは拡大図）関節モデルの骨性部分へのアクセスが、欠損（軟骨欠損）の下の無傷の石灰化軟骨層により制限された場合、ウシ関節欠損モデルの軟骨部分からの細胞のみが、軟骨移植片に浸潤して、新たな軟骨を形成した。白い矢頭は、エラスチンが低減された軟骨マトリックスにおける新たに形成された軟骨を示し、黒い矢頭は、自然の無傷のウシ軟骨を示し、網掛けの矢頭は、自然の石灰化ウシ軟骨を示す。（Ｅ、Ｆは拡大図）白線で境界が定められ、ヒト関節軟骨細胞を播種して、ウシ関節欠損モデルへ配置され、マウスへ皮下移植された、エラスチンが低減された耳介軟骨。ウシ関節欠損モデルの骨性部分からの細胞の浸潤が防止されると、軟骨様マトリックスはまた、耳介軟骨内でも形成され、播種された細胞が、同様に移植片を活性化することができることを示す。白い矢頭は、エラスチンが低減された軟骨マトリックスにおける新たに形成された軟骨を示し、網掛けの矢頭は、自然の石灰化したウシ軟骨を示す。
【図３Ｃ】マウスへ皮下移植したウシ関節欠損モデルへ配置させた、エラスチンが低減された耳介軟骨。（Ａ、Ｂ）骨軟骨欠損における播種細胞を伴わない軟骨移植片（ＢはＡの拡大図）。骨関節欠損モデルの骨部分からの、および程度は劣るが、軟骨部分からの細胞の浸潤に起因して、チオニン染色後の濃い着色領域を特徴とする新たな軟骨の原位置での形成；白い矢頭は、エラスチンが低減された軟骨マトリックスにおける新たに形成された軟骨を示し、黒い矢頭は、自然の無傷のウシ軟骨を示す。（Ｃ、Ｄは拡大図）関節モデルの骨性部分へのアクセスが、欠損（軟骨欠損）の下の無傷の石灰化軟骨層により制限された場合、ウシ関節欠損モデルの軟骨部分からの細胞のみが、軟骨移植片に浸潤して、新たな軟骨を形成した。白い矢頭は、エラスチンが低減された軟骨マトリックスにおける新たに形成された軟骨を示し、黒い矢頭は、自然の無傷のウシ軟骨を示し、網掛けの矢頭は、自然の石灰化ウシ軟骨を示す。（Ｅ、Ｆは拡大図）白線で境界が定められ、ヒト関節軟骨細胞を播種して、ウシ関節欠損モデルへ配置され、マウスへ皮下移植された、エラスチンが低減された耳介軟骨。ウシ関節欠損モデルの骨性部分からの細胞の浸潤が防止されると、軟骨様マトリックスはまた、耳介軟骨内でも形成され、播種された細胞が、同様に移植片を活性化することができることを示す。白い矢頭は、エラスチンが低減された軟骨マトリックスにおける新たに形成された軟骨を示し、網掛けの矢頭は、自然の石灰化したウシ軟骨を示す。
【図３Ｄ】マウスへ皮下移植したウシ関節欠損モデルへ配置させた、エラスチンが低減された耳介軟骨。（Ａ、Ｂ）骨軟骨欠損における播種細胞を伴わない軟骨移植片（ＢはＡの拡大図）。骨関節欠損モデルの骨部分からの、および程度は劣るが、軟骨部分からの細胞の浸潤に起因して、チオニン染色後の濃い着色領域を特徴とする新たな軟骨の原位置での形成；白い矢頭は、エラスチンが低減された軟骨マトリックスにおける新たに形成された軟骨を示し、黒い矢頭は、自然の無傷のウシ軟骨を示す。（Ｃ、Ｄは拡大図）関節モデルの骨性部分へのアクセスが、欠損（軟骨欠損）の下の無傷の石灰化軟骨層により制限された場合、ウシ関節欠損モデルの軟骨部分からの細胞のみが、軟骨移植片に浸潤して、新たな軟骨を形成した。白い矢頭は、エラスチンが低減された軟骨マトリックスにおける新たに形成された軟骨を示し、黒い矢頭は、自然の無傷のウシ軟骨を示し、網掛けの矢頭は、自然の石灰化ウシ軟骨を示す。（Ｅ、Ｆは拡大図）白線で境界が定められ、ヒト関節軟骨細胞を播種して、ウシ関節欠損モデルへ配置され、マウスへ皮下移植された、エラスチンが低減された耳介軟骨。ウシ関節欠損モデルの骨性部分からの細胞の浸潤が防止されると、軟骨様マトリックスはまた、耳介軟骨内でも形成され、播種された細胞が、同様に移植片を活性化することができることを示す。白い矢頭は、エラスチンが低減された軟骨マトリックスにおける新たに形成された軟骨を示し、網掛けの矢頭は、自然の石灰化したウシ軟骨を示す。
【図３Ｅ】マウスへ皮下移植したウシ関節欠損モデルへ配置させた、エラスチンが低減された耳介軟骨。（Ａ、Ｂ）骨軟骨欠損における播種細胞を伴わない軟骨移植片（ＢはＡの拡大図）。骨関節欠損モデルの骨部分からの、および程度は劣るが、軟骨部分からの細胞の浸潤に起因して、チオニン染色後の濃い着色領域を特徴とする新たな軟骨の原位置での形成；白い矢頭は、エラスチンが低減された軟骨マトリックスにおける新たに形成された軟骨を示し、黒い矢頭は、自然の無傷のウシ軟骨を示す。（Ｃ、Ｄは拡大図）関節モデルの骨性部分へのアクセスが、欠損（軟骨欠損）の下の無傷の石灰化軟骨層により制限された場合、ウシ関節欠損モデルの軟骨部分からの細胞のみが、軟骨移植片に浸潤して、新たな軟骨を形成した。白い矢頭は、エラスチンが低減された軟骨マトリックスにおける新たに形成された軟骨を示し、黒い矢頭は、自然の無傷のウシ軟骨を示し、網掛けの矢頭は、自然の石灰化ウシ軟骨を示す。（Ｅ、Ｆは拡大図）白線で境界が定められ、ヒト関節軟骨細胞を播種して、ウシ関節欠損モデルへ配置され、マウスへ皮下移植された、エラスチンが低減された耳介軟骨。ウシ関節欠損モデルの骨性部分からの細胞の浸潤が防止されると、軟骨様マトリックスはまた、耳介軟骨内でも形成され、播種された細胞が、同様に移植片を活性化することができることを示す。白い矢頭は、エラスチンが低減された軟骨マトリックスにおける新たに形成された軟骨を示し、網掛けの矢頭は、自然の石灰化したウシ軟骨を示す。
【図３Ｆ】マウスへ皮下移植したウシ関節欠損モデルへ配置させた、エラスチンが低減された耳介軟骨。（Ａ、Ｂ）骨軟骨欠損における播種細胞を伴わない軟骨移植片（ＢはＡの拡大図）。骨関節欠損モデルの骨部分からの、および程度は劣るが、軟骨部分からの細胞の浸潤に起因して、チオニン染色後の濃い着色領域を特徴とする新たな軟骨の原位置での形成；白い矢頭は、エラスチンが低減された軟骨マトリックスにおける新たに形成された軟骨を示し、黒い矢頭は、自然の無傷のウシ軟骨を示す。（Ｃ、Ｄは拡大図）関節モデルの骨性部分へのアクセスが、欠損（軟骨欠損）の下の無傷の石灰化軟骨層により制限された場合、ウシ関節欠損モデルの軟骨部分からの細胞のみが、軟骨移植片に浸潤して、新たな軟骨を形成した。白い矢頭は、エラスチンが低減された軟骨マトリックスにおける新たに形成された軟骨を示し、黒い矢頭は、自然の無傷のウシ軟骨を示し、網掛けの矢頭は、自然の石灰化ウシ軟骨を示す。（Ｅ、Ｆは拡大図）白線で境界が定められ、ヒト関節軟骨細胞を播種して、ウシ関節欠損モデルへ配置され、マウスへ皮下移植された、エラスチンが低減された耳介軟骨。ウシ関節欠損モデルの骨性部分からの細胞の浸潤が防止されると、軟骨様マトリックスはまた、耳介軟骨内でも形成され、播種された細胞が、同様に移植片を活性化することができることを示す。白い矢頭は、エラスチンが低減された軟骨マトリックスにおける新たに形成された軟骨を示し、網掛けの矢頭は、自然の石灰化したウシ軟骨を示す。
【図４】[0026]ｉｎ  ｖｉｖｏでの骨軟骨プラグモデルにおけるｈＡＣおよびＡＳＣ−ＴＥＲＴ１の同時培養物を再度播種した耳介軟骨および対照スキャフォールド。６週後、ヌードマウスモデルにおいて、コラーゲンＩＩ型の合成が、スキャフォールドの内側の奥深くの通路および小腔において観察され得る（矢印）が、他の通路では、コラーゲンＩ型が依然として強力に発現された（矢印）；ｎ＝６。
【図５】[0027]ｉｎ  ｖｉｖｏでの骨軟骨プラグモデルにおいて、単独で、または同時培養でウシ軟骨細胞を再度播種した耳介軟骨。細胞は、弾性線維の欠乏によって創出された空の小腔および通路に浸潤して、スキャフォールドの内側に新たなコラーゲンＩＩ型を合成した（矢印）。初期の移植片リモデリングの兆候が、同時培養群において見て取れる（矢頭）。コラーゲンＩ型は、軟骨細胞群では単一細胞によって弱く発現され、同時培養群では完全に存在しない；ｎ＝３。
【発明を実施するための形態】
【００２２】
[0028]「脱細胞化」という用語は、本明細書中で使用する場合、軟骨細胞外マトリックスから細胞および細胞レムナントを除去して、元の組織の軟骨スキャフォールドを残すプロセスを指す。
【００２３】
[0029]「再細胞化」という用語は、本明細書中で使用する場合、軟骨スキャフォールドの脱細胞化後に、細胞が上記軟骨スキャフォールドへ浸潤させるプロセスを指す。
[0030]「軟骨スキャフォールド」という用語は、本明細書中で使用する場合、主にコラーゲン線維、非コラーゲン性糖タンパク質およびプロテオグリカンで構成される軟骨の細胞外物質を指す。「同種」という用語は、本明細書中で使用する場合、移植片のレシピエントではない個体に由来することを指す。
【００２４】
[0031]「エラスチン」という用語は、本明細書中で使用する場合、身体の軟骨組織が、伸張または収縮後にその形状を取り戻すことが可能である軟骨組織中の非常に弾性の高いタンパク質を指す。
【００２５】
[0032]「エラスチン線維」という用語は、本明細書中で使用する場合、軟骨組織の細胞外スキャフォールド中に見出されるエラスチンタンパク質の束を指す。
[0033]「エラスターゼ」という用語は、本明細書中で使用する場合、ペプチダーゼＳ１ファミリーのセリンエンドペプチダーゼを指す（ｈｔｔｐ：／／ｅｎｚｙｍｅ．ｅｘｐａｓｙ．ｏｒｇ／ｐｅｐｔｉｄａｓ．ｔｘｔを参照のこと）。好ましいエラスターゼは、ＥＣ番号３．４．２１．３６、３．４．２１．３７または３．４．２１．７１を有する種類由来の酵素である。エラスターゼは、エラスチンを含むタンパク質を加水分解する。エラスターゼ１ユニットは、ｐＨ８および２５℃で、１分当たりＮ−スクシニル−Ｌ−Ａｌａ−Ａｌａ−Ａｌａ−ｐ−ニトロアニリド１．０μｍを加水分解する酵素の量として定義される。エラスターゼは、膵エラスターゼ、膵エラスターゼＩＩ、白血球エラスターゼ、および好中球エラスターゼからなる群から選択され得る。本発明の一実施形態において、エラスターゼは、膵エラスターゼである。
【００２６】
[0034]「弾性軟骨」という用語は、例えば耳の中に存在する、コラーゲン線維に隣接する弾性線維を含有する軟骨、即ち、耳管および咽頭蓋を指す。「硝子軟骨」という用語は、関節、滑膜関節中の骨の相対する表面、肋軟骨、咽頭、気管、気管支、鼻中隔および鼻翼の軟骨等の主にコラーゲンＩＩ型線維を含有する軟骨を指す。
【００２７】
[0035]「線維軟骨」という用語は、本明細書中で使用する場合、コラーゲンＩＩ型線維に隣接するコラーゲンＩ型を含有する軟骨を指し、半月板中に、椎間板の線維輪、顎関節および恥骨結合中に存在する。
【００２８】
[0036]「耳介軟骨」という用語は、本明細書中で使用する場合、耳の最外側部分である耳の耳介の軟骨を指す。
[0037]「関節軟骨」という用語は、本明細書中で使用する場合、滑膜関節中の骨の相対する表面、関節接合を覆う軟骨を指す。
【００２９】
[0038]「軟骨膜」という用語は、本明細書中で使用する場合、関節の終点にあるものを除く、軟骨を囲む高密度で不規則な結合組織の層を指し、２つの別々の層；コラーゲン産生線維芽細胞を含有する外側線維層、ならびに軟骨芽細胞および軟骨細胞を形成し得る前駆細胞を含有する内側軟骨形成層からなる。
【００３０】
[0039]「軟骨芽細胞」という用語は、本明細書中で使用する場合、未熟な軟骨産生細胞を指す。
[0040]「軟骨細胞」という用語は、本明細書中で使用する場合、軟骨を構成および産生する特殊な細胞を指す。
【００３１】
[0041]「骨膜」という用語は、本明細書中で使用する場合、関節にあるものを除く、身体の骨全てを覆う特殊な結合組織を指す。骨膜は、軟骨形成能および骨形成能を有する。
[0042]「骨髄由来間質細胞」、またはＢＭＳＣという用語は、本明細書中で使用する場合、骨髄に由来して、プラスチックへの付着性ならびにＣＤ４５およびＣＤ１４等の造血マーカー発現の欠如によって同定される間葉系細胞を指す。
【００３２】
[0043]「滑膜由来間葉系細胞」は、本明細書中で使用する場合、滑膜組織に由来して、プラスチックへの付着性によって同定される間葉系細胞を指す。上記細胞は、ＣＤ４５およびＣＤ１４等の造血マーカーのおよび発現を欠如している。
【００３３】
[0044]「脂肪由来間質血管幹細胞」という用語は、本明細書中で使用する場合、ＣＤ４５およびＣＤ１４等の造血マーカーの発現の欠如によって同定される脂肪組織由来の間質血管分画に由来する間葉系前駆細胞／幹細胞を指す。
【００３４】
[0045]「軟骨形成能」という用語は、本明細書中で使用する場合、細胞が軟骨を産生することができることを指す。
[0046]「骨形成能」という用語は、本明細書中で使用する場合、細胞が骨を産生することができることを指す。
【００３５】
[0047]「超音波処理」という用語は、本明細書中で使用する場合、試料中の粒子を攪拌させるのに音波エネルギーを与える行為を指す。
[0048]「障害」という用語は、本明細書中で使用する場合、機能、構造、またはその両方の異常を指し、発達中の遺伝性機能不全もしくは胚性機能不全に、または外傷もしくは疾患等の外因性要因に起因する。
【００３６】
[0049]「処理」または「処理すること」という用語は、本明細書中で使用する場合、処理される個体の自然経過を変更させるための臨床的介入を指す。処理の望ましい効果として、障害の発生もしくは再発を防止すること、症状の緩和、および障害の任意の直接的もしくは間接的な結果の減少、および／または障害の状態の改善もしくは軽減が挙げられる。本発明において、「処理」または「処理すること」は、再細胞化された細胞を伴うか、または伴わない軟骨スキャフォールドを含む組成物を投与することによって、損傷を受けた関節軟骨等の軟骨疾患を患うヒトの、あるいは鼻もしくは外耳等の軟骨組織の形成異常または欠如の改善または軽減を意味すると理解される。
【００３７】
[0050]「修復」という用語は、本明細書中で使用する場合、組織、好ましくは軟骨組織を、部分的にまたは完全に修復する作用を指す。
軟骨スキャフォールドの提供
[0051]軟骨は通常、組織学的な外観に基づいて、３つのタイプに分類される：ａ）関節、肋骨、鼻または気管に由来され得る硝子軟骨、ｂ）椎間板、瘢痕組織および半月板に見られ得る線維軟骨、およびｃ）咽頭蓋、外耳および耳管から得られ得る弾性軟骨。好ましい軟骨試料は、弾性軟骨試料である。
【００３８】
[0052]軟骨試料は、例えば、皮膚等の周囲組織を除去することおよび切除、好ましくは、得られた軟骨試料が無菌であることを保証する方法を用いることによって、ドナーから得ることができる。
【００３９】
[0053]軟骨試料は、動物から、例えば、限定されないが、雌ウシまたはブタ、およびヒトから得ることができる。ヒト軟骨試料は、例えば、死後のドナーから、または耳の再形成（耳形成術）中のような関連する手順に起因した外科的検体として得ることができる。例えば、成体ウシ（雌ウシ）および未熟なウシ（仔ウシ）等の雌ウシまたはブタ由来の動物軟骨は、屠殺場から得ることができる。
【００４０】
[0054]軟骨試料は、任意選択で脱細胞化される。この脱細胞化ステップ中、軟骨試料中の固有の軟骨細胞は、少なくとも１回の凍結融解サイクルに、好ましくは、少なくとも３回の凍結融解サイクル、例えば３回の凍結融解サイクル、４回の凍結融解サイクル、５回の凍結融解サイクルまたは６回の凍結融解サイクルに試料を付すことによって、死滅および除去される。凍結融解サイクルは、細胞を死滅させて、細胞粒子の除去を促進する。
【００４１】
[0055]上記凍結融解サイクル（複数可）は、乾燥させて実施され得るか、または低張性緩衝溶液中で、例えばｐＨ＝８の１０ｍＭ  トリス−ＨＣｌ中で、または脱イオン水（ＩＳＯ  ３６９６グレードＩ）で、軟骨試料をインキュベーションした後に実施され得る。好ましい方法として、少なくとも１回の乾燥凍結融解サイクル、および低張性緩衝溶液で軟骨試料をインキュベーションした後の少なくとも１回の凍結融解サイクル、例えば、２回の乾燥凍結融解サイクル、続く低張性緩衝溶液中での軟骨試料の２回の凍結融解サイクルが挙げられる。上記凍結融解サイクルはそれぞれ独立して、−２００℃〜＋６０℃の温度で実施され得る。
【００４２】
[0056]軟骨試料が無菌でない場合、上記軟骨試料は、エラスチンの低減に先立って、またはエラスチンの低減後に、エタノール、過酢酸、ヨウ素溶液、水酸化ナトリウム溶液、塩酸溶液および／または過酸化水素の少なくとも１つ、好ましくは過酸化水素を含む緩衝水溶液中で、０．２時間〜１０時間、好ましくは１時間〜３時間インキュベーションすることによって汚染除去され得る。例えば、汚染除去ステップは、Ｕｔｏｍｏら、２０１５年（Ｕｔｏｍｏら、２０１５．Ｂｉｏｍｅｄ  Ｍａｔｅｒ  １０：０１５０１０）によって示されるように、０．１％過酢酸を含むＰＢＳで、室温で３時間、軟骨試料をインキュベートすることによって実施され得る。好ましい汚染除去ステップにおいて、軟骨試料は、５％過酸化水素中で、３７℃で６０分間のインキュベーションによって汚染除去される。
軟骨スキャフォールドにおけるエラスチンの低減
[0057]とりわけ、弾性軟骨は、エラスチンの大きな線維束を含有し、弾性軟骨に優れた柔軟性を付与する。エラスチン線維は、コラーゲンネットワークを横行して、軟骨細胞が存在する小腔と称されるポケットを包囲する。これらのエラスチン線維を、軟骨スキャフォールドから除去することで、コラーゲンネットワークを横行する空の通路が残る。
【００４３】
[0058]上記エラスチン線維は好ましくは、エラスターゼ等のプロテアーゼによって、軟骨スキャフォールドから低減されるか、またはさらには完全に除去される。他のエラスターゼもまた、軟骨スキャフォールドからのエラスチンの低減または除去に使用することができるが、それらは、コラーゲンネットワークに幾らか損傷を引き起こす場合がある。エラスチンの低減に関して、軟骨スキャフォールドは好ましくは、１Ｕ／ｍｌ〜１２Ｕ／ｍｌ、好ましくは３Ｕ／ｍｌの濃度で、１時間〜８０時間、好ましくは２４時間〜４８時間、エラスターゼ等のプロテアーゼとともにインキュベートされる。上記インキュベーション時間は、試料のサイズおよび厚さ、および／または酵素濃度によって、幾らか確定され得る。例えば、インキュベーション時間は好ましくは、３ｍｍの厚さを有する１ｃｍ２よりも小さい試料に関しては約２４時間、および１ｃｍ２よりも大きな試料に関しては約４８時間〜７２時間である。Ｕｔｏｍｏら、２０１５年では、試料は、３７℃で２４時間、０．０３Ｕ／ｍｌのエラスターゼとともにインキュベートされた。しかしながら、この手順は、再細胞化を可能にするように軟骨組織中のエラスチン含有量を著しくは変更させなかった。軟骨試料のエラスターゼ処理が、他のタンパク質分解酵素による処理と組み合わされる場合には、上記エラスチン濃度は、低くてもよく、好ましくは約０．０１Ｕ／ｍｌ〜１Ｕ／ｍｌであり得る。これらの他のタンパク質分解酵素は、好ましくは約０．５ｍｇ／ｍｌ〜５ｍｇ／ｍｌのペプシン濃度で、好ましくは約１ｍｇ／ｍｌのペプシン濃度でペプシンを含んでもよい。酵素は全て、好ましくは、９０％を上回る純度を有し、および／または、適正製造基準（ＧＭＰ）に従って産生される。
【００４４】
[0059]試料は、例えば、２回の乾燥凍結融解サイクルおよび低張性緩衝液中で２回の凍結融解サイクル、続く１ｍｇ／ｍＬのペプシンを含む０．５Ｍ酢酸での一晩のインキュベーションおよび０．０３Ｕ／ｍｌのエラスターゼを含むトリス緩衝液ｐＨ８．６との一晩のインキュベーションに付されてもよく、その後、試料は、２×３０分間、ＰＢＳで洗浄され、続いて、一晩洗浄が行われる。好ましくは、軟骨スキャフォールドからエラスチンを低減するか、または完全に除去する上記ステップに続いて、ヌクレアーゼ溶液で軟骨スキャフォールドをインキュベートして、スキャフォールドから、核酸材料全てを除去することもある。このために、上記スキャフォールドは、１Ｕ／ｍｌ〜１００Ｕ／ｍｌ、好ましくは約５０Ｕ／ｍｌのＤＮＡ分解酵素および／または０．１Ｕ／ｍｌ〜１０Ｕ／ｍｌ、好ましくは約１Ｕ／ｍｌのＲＮＡ分解酵素を含む無毒性緩衝生理食塩水中でインキュベートされて、続いて、競合的セリンプロテアーゼ阻害剤等のプロテアーゼ阻害剤の存在または非存在下で、無毒性緩衝生理食塩水中で反復洗浄を行ってもよい。
ｉｎ  ｖｉｔｒｏでの軟骨試料の再細胞化に関する方法
[0060]軟骨スキャフォールドからのエラスチンの低減または完全な除去後に、小腔が開放し、エラスチン線維が、マトリックスを横行していたところに通路が生じ、細胞レムナントの除去を容易にする。上記エラスチンの低減または完全な除去はまた、軟骨スキャフォールドのグリコサミノグリカン（ＧＡＧ）の低減をもたらし得る。軟骨細胞等の細胞の接着は、ＧＡＧによって防止され得ると報告されている（Ｂａｒａら、２０１２．Ｃｏｎｎｅｃｔ  Ｔｉｓｓｕｅ  Ｒｅｓ  ５３：２２０〜８）ため、軟骨スキャフォールド中のＧＡＧの低減は、スキャフォールドの再細胞化に有益であり得る。ここで、通路およびアクセス可能な小腔は、細胞がスキャフォールドに浸潤するのを可能にし、軟骨の再細胞化を可能にする。
【００４５】
[0061]エラスチン束の低減または除去は、耳介中の弾性軟骨等の弾性軟骨における通路につながる。分散性エラスチン線維を含有するが、エラスチン束を欠如する硝子軟骨では、エラスチンの低減または除去は、通路につながらない。
【００４６】
[0062]エラスチンが低減された軟骨スキャフォールドの再細胞化に適切な細胞は、軟骨細胞、軟骨膜細胞、骨膜細胞、および脂肪由来間質血管幹細胞、骨髄由来間質細胞または滑膜由来細胞および羊膜由来細胞等の間葉系幹細胞／前駆細胞等の軟骨形成能を有する細胞である。
【００４７】
[0063]軟骨形成能を有する細胞を培養する方法は、当業者に公知である。例えば、Ｊｏｈｎｓｔｏｎｅら、１９９８年（Ｊｏｈｎｓｔｏｎｅら、１９９８．Ｅｘｐ  Ｃｅｌｌ  Ｒｅｓ  ２３８：２６５〜７２）に記載されるように、ＢＭＳＣ細胞は、１０％熱失活ＦＣＳ（Ｌｏｎｚａ、ヴェルヴィエ、ベルギー）、５０μｇ／ｍＬのゲンタマイシン、１．５μｇ／ｍｌのファンギゾン、２５μｇ／ｍｌのＬ−アスコルビン酸２−リン酸塩および１ｎｇ／ｍＬの塩基性線維芽細胞増殖因子２（ｂＦＧＦ２；Ｒ＆Ｄ  Ｓｙｓｔｅｍｓ、ミネアポリス、米国）を含有するＭＥＭ−α（Ｇｉｂｃｏ、カールスバッド、米国）を含む、ここでは増殖培地と称される培地中で、２３００個の細胞／ｃｍ２の密度で、３７℃および５％ＣＯ２で培養され得る。あるいは例えばＮａｒｃｉｓｉら、２０１５年（Ｎａｒｃｉｓｉら、２０１５．Ｓｔｅｍ  Ｃｅｌｌ  Ｒｅｐｏｒｔｓ  ４：４５９〜７）に細胞増殖および／または軟骨形成能を改善し得る、この方法の改案が記載されている。
【００４８】
[0064]上記軟骨形成細胞、好ましくはヒト細胞は、当業者に公知である下記の方法の１つを使用して、軟骨スキャフォールドに播種され得る：
ａ）静的播種；軟骨スキャフォールドは、培養ウェルの底部に配置されてもよく、続いて、培養ウェルに、細胞を含んだ増殖培地（通常、約１．０００個の細胞／スキャフォールドｍｍ３〜１０．０００個の細胞／ｍｍ３）を充填する。細胞は沈降し、軟骨スキャフォールドに付着する。
ｂ）動的播種；軟骨スキャフォールドは、細胞を含んだ増殖培地（通常、約５．０００個の細胞／スキャフォールドｍｍ３〜約２０．０００個の細胞／ｍｍ３）を充填した閉じたチューブ中に配置されて、角度４５°および９０°で回転させながらインキュベートされ得る。
ｃ）注入；約１．０００個の細胞／スキャフォールドｍｍ３〜約１０．０００個の細胞／ｍｍ３の細胞懸濁液は、針を用いて軟骨スキャフォールドへ注入され得る。
【００４９】
[0065]ＢＭＳＣ等の軟骨形成細胞は、静的播種によって軟骨スキャフォールドの表面へ播種されると、スキャフォールドへ遊走して、その中に分布する。ここで使用される培養培地は、遊走速度を高める、または好ましくは軟骨形成性の分化を高める血清勾配またはケモカイン、例えば、Ｎａｒｃｉｓｉら、２０１５年に記載されるように、ＤＭＥＭ−高グルコースＧｌｕｔａＭＡＸ＋（ＧＩＢＣＯ）、１：１００のインスリン、トランスフェリンおよび亜セレン酸（ＩＴＳ＋、ＢＤ  Ｂｉｏｓｃｉｅｎｃｅｓ）、４０μｇ／ｍｌのＬ−プロリン（Ｓｉｇｍａ−Ａｌｄｒｉｃｈ）、１ｍＭのピルビン酸ナトリウム（ＧＩＢＣＯ）、１００ｎＭのデキサメタゾン（Ｓｉｇｍａ−Ａｌｄｒｉｃｈ）、１０ｎｇ／ｍｌのトランスフォーミング増殖因子β１（ＴＧＦ−β１、Ｒ＆Ｄ  Ｓｙｓｔｅｍｓ）、２μＭのＷＮＴ阻害剤ＩＷＰ２（Ｓｉｇｍａ−Ａｌｄｒｉｃｈ）、１．５μｇ／ｍｌのファンギゾン（ＧＩＢＣＯ）および５０μｇ／ｍｌのゲンタマイシン（ＧＩＢＣＯ）を含有してもよい。遊走細胞は、軟骨スキャフォールド上へ均一に分布せず、スキャフォールド内の高密度スポットで成長する場合がある。あるいは、細胞は、軟骨移植片中に注入されて、続く培養中に、またはｉｎ  ｖｉｖｏへの移植後に、注入部位からさらに分布し得る。細胞は全て、適正製造基準（ＧＭＰ）に従って培養される。
【００５０】
[0066]移植片を、細胞と同時に、細胞播種の直後に、またはさらなる細胞培養後に移植して、遊走および軟骨形成を刺激し得る。軟骨形成性の分化を受けるように誘導されると、細胞は、スキャフォールド内で軟骨を形成する。コラーゲンスキャフォールドと異なり、エラスチンが低減された軟骨スキャフォールドは、細胞播種および軟骨形成分化中に、ｉｎ  ｖｉｖｏでその形状を保持する。
再細胞化された軟骨スキャフォールドの移植
[0067]再細胞化された軟骨スキャフォールドは、宿主への移植に使用され得る。
【００５１】
[0068]再細胞化された軟骨スキャフォールドは、関節、鼻、気道、半月板および耳軟骨等の軟骨修復に使用され得る。軟骨スキャフォールドは、先天的な軟骨欠損ならびに損傷を受けた軟骨組織の両方を修復するのに使用され得る。軟骨スキャフォールドは、エラスチン低減および再細胞化後に、そのサイズおよび形状を保存するので、かかるスキャフォールドは、外耳軟骨等の、複雑な形状を有する軟骨組織の、大きな軟骨欠損を再構築するのに使用され得る。
【００５２】
[0069]輸送中に、再細胞化された軟骨スキャフォールドは、好ましくは、無菌輸送容器を使用することによって、無菌性および湿性が維持される。修復される軟骨組織は、皮膚を切開し、軟骨組織を露出することによって、または関節に開口部を作ることによって到達され得る。移植の直前に、軟骨スキャフォールドまたは再細胞化された軟骨スキャフォールドは、無菌輸送容器から取り出され、必要に応じて、型に合わせて、例えばハサミを用いてサイズを合わせる。再細胞化されたスキャフォールドを移植して、損傷を受けたか、もしくは欠損している軟骨組織またはその一部を置換することができる。再細胞化された軟骨スキャフォールドは、好ましくは無菌作業に関する方法を使用して、軟骨欠損の境界で、それを圧入すること（ｐｒｅｓｓ−ｆｉｔｔｉｎｇ）、縫合すること、または（フィブリン）接着することによって挿入され得る。出血の管理を達成した後、関節中の開口部または切開を閉じてもよい。
エラスチンが低減された軟骨スキャフォールドの移植
[0070]耳全体の再構築のためには、移植に先立つ再細胞化が好ましい場合があるが、無細胞アプローチは、関節軟骨欠損、骨軟骨欠損の処理に、または軟骨膜がまだ無傷である場合は、鼻もしくは耳介欠損に役立ち得る。このアプローチは、エラスチンが低減された、再細胞化されていない軟骨スキャフォールドの、宿主への移植を含む。再細胞化されていない軟骨スキャフォールドの移植手順は、再細胞化された軟骨スキャフォールドに関して、本明細書中で上述したような手順と同様である。
【００５３】
[0071]エラスチンが低減された軟骨スキャフォールドの再細胞化は、環境からスキャフォールドへの自己宿主細胞の内殖によって、ｉｎ  ｖｉｔｒｏで、またはｉｎ  ｖｉｖｏで達成され得る。これは、例えば、増殖因子、ケモカインまたは血小板リッチな血漿等の他の軟骨修復刺激剤を添加することによって刺激され得る。
【実施例】
【００５４】
[0072]下記の実施例は、本発明の理解を促進するために記載するが、いかなる場合においても本発明の範囲を限定すると意図されず、そのように解釈されるべきではない。実施例は、従来法の詳述を含まない。かかる方法は、当業者に周知である。
【００５５】
実施例１
動的播種によるＢＭＳＣを用いた再細胞化 
[0073]１２週齢の仔ウシの外耳を水で洗浄して、軟骨のみが残るまで、軟骨膜、皮膚および筋肉を、メスを使用して除去した。続いて、直径６ｍｍおよび高さ１ｍｍのバイオプシーを、バイオプシーパンチを使用して、耳介軟骨から入手し、したがって、試料はそれぞれ、容量が約３０ｍｍ３であった。
【００５６】
[0074]続いて、下記のプロトコルを、細胞およびエラスチン線維の除去に用い、別記しない限り、所定の容量を、およそ２０個の試料のバッチに適用した。まず、本発明の幾つかの実施形態において、皮膚のばらばらの小片等の単離由来の組織片を除去するために、下記で脱イオン水と称される３６９６グレードＩ脱イオン水４０ｍｌで、試料を手短に３回すすいだ。必要に応じて、試料を、貯蔵用に−２０℃、脱イオン水２０ｍｌ中で凍結させた。次に、試料を５％過酸化水素２０ｍｌで、３７℃にて６０分間滅菌した。続いて、試料を、脱イオン水４０ｍｌで手短に３回すすぎ、試料をそれぞれ完全に凍結および融解するのに十分な時間、−８０℃から３７℃までで３回、脱イオン水中で凍結融解させた。試料を、ｐＨ８．６に設定した３Ｕ／ｍｌのエラスターゼ（Ｓｉｇｍａ−Ａｌｄｒｉｃｈ）を含む２Ｍのトリス（ヒドロキシメチル）アミノメタン（ＴＲＩＳ）ＨＣｌ水溶液とともに、１個当たり１ｍｌで、３７℃で２４時間、３０ＲＰＭで回転させ、回転中、試料を常に浸しながらインキュベートすることによって、エラスチン線維束を消化した。続いて、それぞれ室温にて３０ＲＰＭで回転させて、脱イオン水５０ｍｌとともに５分間、３回インキュベートすることによって、エラスターゼ溶液を洗い流した。小腔の開口を容易にして、軟骨マトリックスからの細胞組織片の除去を促進するために、試料を物理的なストレインに曝露した：瞬間凍結融解サイクル（−１９０℃〜３７℃）、４２ｋＨｚにて８分間で２回の超音波処理（７０ワットの水浴ソニケーター）および２５００ＲＰＭで約３０秒間、液体の非存在下で３回ボルテックスすること。
【００５７】
[0075]続いて、無菌状態を試験して、１０％熱失活ＦＣＳ（Ｌｏｎｚａ、ヴェルヴィエ、ベルギー）を含有するＭＥＭ−α（Ｇｉｂｃｏ、カールスバッド、米国）４０ｍｌ中で、３７℃で２４時間、３０ＲＰＭで回転させて、試料をインキュベートすることによって、試料を血清でコーティングした。その後、無菌の試料を、２ｍｌのポリプロピレン微量遠心チューブに入れて、試料はそれぞれ、チューブ１個に入れて、ヒト成体骨髄由来間質細胞（ＢＭＳＣ）を、試料１個当たり２５０．０００個の細胞（およそ８．５００個の細胞／ｍｍ３）を含む１．５ｍｌの増殖培地（１０％熱失活ＦＣＳ（Ｌｏｎｚａ、ヴェルヴィエ、ベルギー）、５０μｇ／ｍＬのゲンタマイシン（Ｉｎｖｉｔｒｏｇｅｎ  Ｌｉｆｅ  Ｔｅｃｈｎｏｌｏｇｉｅｓ）、１．５μｇ／ｍｌのファンギゾン（Ｉｎｖｉｔｒｏｇｅｎ  Ｌｉｆｅ  Ｔｅｃｈｎｏｌｏｇｉｅｓ）、２５μｇ／ｍｌのＬ−アスコルビン酸２−リン酸塩および１ｎｇ／ｍＬの塩基性線維芽細胞増殖因子２（ｂＦＧＦ２；Ｒ＆Ｄ  Ｓｙｓｔｅｍｓ、ミネアポリス、米国）を含有するＭＥＭ−α（Ｇｉｂｃｏ、カールスバッド、米国））を用いて、播種した。続いて、試料を、微量遠心チューブで、３７℃で２４時間、角度４５°にて３０ＲＰＭで回転させて、細胞とともにインキュベートした。播種後、試料を、増殖培地で２回、穏やかにすすいで、２ｃｍ２のウェルに移して（試料はそれぞれ、ウェル１個を占有する）、１ｍｌ／ウェルの増殖培地中で６日間、培地は、２日目および４日目に新しくして培養するか、または軟骨形成培地（ＤＭＥＭ−高グルコースＧｌｕｔａＭＡＸ＋（ＧＩＢＣＯ）、１：１００のインスリン、トランスフェリンおよび亜セレン酸（ＩＴＳ＋、ＢＤ  Ｂｉｏｓｃｉｅｎｃｅｓ）、４０μｇ／ｍｌのＬ−プロリン（Ｓｉｇｍａ−Ａｌｄｒｉｃｈ）、１ｍＭのピルビン酸ナトリウム（ＧＩＢＣＯ）、１００ｎＭのデキサメタゾン（Ｓｉｇｍａ−Ａｌｄｒｉｃｈ）、１０ｎｇ／ｍｌのトランスフォーミング増殖因子β１（ＴＧＦ−β１、Ｒ＆Ｄ  Ｓｙｓｔｅｍｓ）、１．５μｇ／ｍｌのファンギゾン（Ｉｎｖｉｔｒｏｇｅｎ  Ｌｉｆｅ  Ｔｅｃｈｎｏｌｏｇｉｅｓ）および５０μｇ／ｍｌのゲンタマイシン（Ｉｎｖｉｔｒｏｇｅｎ  Ｌｉｆｅ  Ｔｅｃｈｎｏｌｏｇｉｅｓ））で、培地は３日毎に新しくして、３５日間培養した。
【００５８】
[0076]培養後、試料を、ピンセットで慎重に収集して、リン酸緩衝生理食塩水（ＰＢＳ）で穏やかに洗浄して、３．７％ホルマリン中で２４時間固定した。次に、メーカーのプロトコル、Ｎａｒｃｉｓｉら、２０１５年およびＵｔｏｍｏら、２０１５年に従って、固定した試料を、アガロース中に包埋して、脱水して、パラフィン中に包埋して、６μｍ厚で切片化して、切片をスライドガラス上に置き、続いて乾燥させて、再水和して、ヘマトキシリン（Ｓｉｇｍａ−Ａｌｄｒｉｃｈ）および２％エオシン（Ｍｅｒｃｋ）または０．４％チオニン溶液（Ｓｉｇｍａ−Ａｌｄｒｉｃｈ）またはレゾルシン−フクシン溶液（ＲＦ、Ｋｌｉｎｉｐａｔｈ、ダイフェン、オランダ）で染色して、脱水して、カバーガラス下に封入した。
【００５９】
[0077]顕微鏡写真（図１Ａ〜図１Ｄ）は、通路および開口された小腔を有する、エラスターゼ処理した脱細胞化された軟骨を示す。続いて、ＢＭＳＣは、７日以内に組織へと遊走し（図１Ｅ）、細胞は、除去されたエラスチン線維によって残された通路を通って遊走するとき、細長い形状を取ったことがわかる（図１Ｆ）。軟骨形成性に分化されると、ＢＭＳＣは、脱細胞化されたマトリックス内の組織内に、新たな軟骨様マトリックスを形成した（図１Ｇ）。
【００６０】
実施例２
注入後の原位置での軟骨形成
[0078]軟骨の幾つかの領域は、遊走によって細胞が到達するのが困難であり、例えば、外耳の軟骨は、高密度な軟骨膜層で囲まれている。Ｕｔｏｍｏら、２０１５年によって示されるように、耳全体を、エラスターゼを使用して脱細胞化することができる。軟骨膜は、軟骨にしっかりと結合されており、軟骨構造に損傷を与えることなく、軟骨膜を除去することは、実現不可能である。
【００６１】
[0079]耳全体の再細胞化が実行可能であるかどうかを試験するために、軟骨膜の除去を必要としないウシ耳介軟骨試料を、軟骨膜を貫通する注入によって、軟骨形成細胞で再細胞化した。
【００６２】
[0080]１２週齢の仔ウシの外耳を水で洗浄して、無傷の軟骨膜を有する軟骨のみが残るまで、皮膚および筋肉を、メスを使用して除去した。続いて、辺長が１５ｍｍの正方形バイオプシーを、メスを使用して、耳介軟骨から入手し、試料はそれぞれ、高さが約２ｍｍ〜４ｍｍであり（軟骨膜を含む）、したがって容量が約４５０ｍｍ３〜９００ｍｍ３であった。
【００６３】
[0081]続いて、下記のプロトコルを、細胞およびエラスチン線維の除去に用い、所定の容量を、試料１個に適用した。まず、皮膚のばらばらの小片等の単離由来の組織片を除去するために、下記で脱イオン水と称されるＩＳＯ  ３６９６グレードＩ脱イオン水１０ｍｌで、細胞を手短に３回すすいだ。必要に応じて、試料を、貯蔵用に−２０℃、脱イオン水５ｍｌ中で凍結させた。次に、試料を、それぞれ５％過酸化水素１０ｍｌ、３７℃にて１２０分間で、２回滅菌した。続いて、試料を、脱イオン水１０ｍｌで手短に３回すすぎ、試料をそれぞれ完全に凍結および融解するのに十分な時間、−８０℃から３７℃までで３回、脱イオン水中で凍結融解させた。試料を、ｐＨ８．６に設定した１２Ｕ／ｍｌのエラスターゼ（ＧｏｌｄＢｉｏ）を含む２Ｍのトリス（ヒドロキシメチル）アミノメタン（ＴＲＩＳ）ＨＣｌ水溶液とともに、１個当たり２ｍｌで、３７℃で７２時間、２４時間毎に溶液を新しくして、３０ＲＰＭで回転させて、回転中、試料を常に浸しながらインキュベートすることによって、エラスチン線維束を消化した。続いて、それぞれ室温にて３０ＲＰＭで回転させて、脱イオン水１０ｍｌとともに５分間、３回インキュベートすることによって、エラスターゼ溶液を洗い流した。小腔の開口を容易にして、軟骨マトリックスからの細胞組織片の除去を促進するために、試料を以下の物理的なストレインに曝露した：瞬間凍結融解サイクル（−１９０℃〜３７℃）、４２ｋＨｚにて８分間で２回の超音波処理（７０ワットの水浴ソニケーター）および２５００ＲＰＭで約３０秒間、液体の非存在下で３回ボルテックスすること。
【００６４】
[0082]続いて、無菌状態を試験して、１０％熱失活ＦＣＳ（Ｌｏｎｚａ、ヴェルヴィエ、ベルギー）を含有するＭＥＭ−α（Ｇｉｂｃｏ、カールスバッド、米国）５ｍｌ中で、３７℃で２４時間、３０ＲＰＭで回転させて、試料をインキュベートすることによって、試料を血清でコーティングした。その後、無菌試料を、ピンセットを使用して適所に保持して、ほぼ中心の領域を目指して、３つの異なる部位に、下で詳述するように、１０％熱失活ＦＣＳ（Ｌｏｎｚａ、ヴェルヴィエ、ベルギー）を含有するＭＥＭ−α（Ｇｉｂｃｏ、カールスバッド、米国）１５０μｌ中の約１．５００．０００個の細胞を３０ゲージ針を用いて注入した。細胞は、ヒト成体骨髄由来間質細胞（ＢＭＳＣ）または人工膝関節全置換を受けている患者の骨関節炎の膝関節から単離されたヒト関節軟骨細胞のいずれかであり、１０％熱失活ＦＣＳ（Ｌｏｎｚａ）、ゲンタマイシン（５０ｍｇ／ｍＬ；Ｉｎｖｉｔｒｏｇｅｎ  Ｌｉｆｅ  Ｔｅｃｈｎｏｌｏｇｉｅｓ）、および１．５ｍｇ／ｍＬのアンホテリシンＢ（ファンギゾン；Ｉｎｖｉｔｒｏｇｅｎ  Ｌｉｆｅ  Ｔｅｃｈｎｏｌｏｇｉｅｓ）を有するＤＭＥＭ（Ｌｏｎｚａ）中で１０日間増殖させた。注入後、試料を、リン酸緩衝生理食塩水で３回、穏やかにすすいで、１０ｃｍ２のウェルに移して（試料はそれぞれ、ウェル１個を占有する）、４ｍｌ／ウェルの軟骨形成培地（ＤＭＥＭ−高グルコースＧｌｕｔａＭａｘ＋（ＧＩＢＣＯ）、１：１００のインスリン、トランスフェリンおよび亜セレン酸（ＩＴＳ＋、ＢＤ  Ｂｉｏｓｃｉｅｎｃｅｓ）、４０μｇ／ｍｌのＬ−プロリン（Ｓｉｇｍａ−Ａｌｄｒｉｃｈ）、１ｍＭのピルビン酸ナトリウム（ＧＩＢＣＯ）、１００ｎＭのデキサメタゾン（Ｓｉｇｍａ−Ａｌｄｒｉｃｈ）、１０ｎｇ／ｍｌのトランスフォーミング増殖因子β１（ＴＧＦ−β１、Ｒ＆Ｄ  Ｓｙｓｔｅｍｓ）、１．５μｇ／ｍｌのファンギゾン（Ｉｎｖｉｔｒｏｇｅｎ  Ｌｉｆｅ  Ｔｅｃｈｎｏｌｏｇｉｅｓ）および５０μｇ／ｍｌのゲンタマイシン（Ｉｎｖｉｔｒｏｇｅｎ  Ｌｉｆｅ  Ｔｅｃｈｎｏｌｏｇｉｅｓ））で、培地は３日毎に新しくして、３５日間培養した。しかしながら、いかなる軟骨形成分化プロトコルも、細胞型および選好に依存するが、機能するはずである。
【００６５】
[0083]培養後、試料を、ピンセットで慎重に収集して、リン酸緩衝生理食塩水（ＰＢＳ）で穏やかに洗浄して、３．７％ホルマリン中で２４時間固定した。次に、Ｎａｒｃｉｓｉら、２０１５年に記載されるように、固定した試料を、アガロース中に包埋して、脱水して、パラフィン中に包埋して、６μｍ厚で切片化して、切片を、スライドガラス上に置き、続いて、乾燥させて、再水和して、ヘマトキシリン（Ｓｉｇｍａ−Ａｌｄｒｉｃｈ）および２％エオシン（Ｍｅｒｃｋ）または０．４％チオニン溶液（Ｓｉｇｍａ−Ａｌｄｒｉｃｈ）で染色して、脱水して、カバーガラス下に封入した。
【００６６】
[0084]脱細胞化して再度播種した試料の顕微鏡写真（図２）は、細胞が、注入部位から、周囲の軟骨マトリックスへ遊走して、軟骨形成性の分化を受け、新たな軟骨様マトリックスを形成したことを示し、それは、チオニンを使用したグリコサミノグリカンに対する染色によって可視化された。
【００６７】
実施例３
関節モデルにおけるｉｎ  ｖｉｖｏでの軟骨形成
[0085]エラスターゼ処理した弾性軟骨が、軟骨欠損を修復するのに適しているかどうかを確定するために、エラスターゼ処理した弾性軟骨を、関節軟骨損傷のモデルにおける欠損を充填するのに使用した。まず、１２週齢の仔ウシの外耳を水で洗浄して、軟骨のみが残るまで、軟骨膜、皮膚および筋肉を、メスを使用して除去した。続いて、直径６ｍｍのバイオプシーを、バイオプシーパンチを使用して、耳介軟骨から入手し、およそ０．４ｍｍまたは１．２ｍｍのいずれかの高さに切り取った。
【００６８】
[0086]細胞およびエラスチン線維の除去に用いられるプロトコルは、実施例１に記載するものと同一であった。別記しない限り、所定の容量を、約２０個の試料のバッチに適用した。
【００６９】
[0087]次に、細胞およびエラスチン線維の除去後に、試料の半分を、０．３ｃｍ２のウェルの底部に入れて（１個の試料／ウェル、９６ウェルプレート）、２００μｌの軟骨細胞増殖培地（１０％熱失活ＦＣＳ（Ｌｏｎｚａ）、５０ｍｇ／ｍＬのゲンタマイシン（Ｉｎｖｉｔｒｏｇｅｎ  Ｌｉｆｅ  Ｔｅｃｈｎｏｌｏｇｉｅｓ）、および１．５ｍｇ／ｍｌのアンホテリシンＢ（ファンギゾン；Ｉｎｖｉｔｒｏｇｅｎ  Ｌｉｆｅ  Ｔｅｃｈｎｏｌｏｇｉｅｓ）を有するＤＭＥＭ（Ｌｏｎｚａ））溶液として、試料１個当たり５００．０００個の軟骨形成細胞で覆った。この場合、軟骨形成細胞は、人工膝関節全置換を受けている患者の骨関節炎の膝関節から単離されたヒト関節軟骨細胞であり、軟骨細胞増殖培地中で、少なくとも１０日間増殖された。試料の他の半分を、無細胞軟骨細胞増殖培地で覆った。続いて、試料を３７℃で２４時間、培地を８時間後に穏やかに新しくして、静的にインキュベートした。軟骨形成性の分化を誘導するために、試料を、ＰＢＳで２回すすいで、２００μｌ／ウェルの軟骨形成培地（ＤＭＥＭ−高グルコースＧｌｕｔａＭａｘ＋（ＧＩＢＣＯ）、１：１００のインスリン、トランスフェリンおよび亜セレン酸（ＩＴＳ＋、ＢＤ  Ｂｉｏｓｃｉｅｎｃｅｓ）、４０μｇ／ｍｌのＬ−プロリン（Ｓｉｇｍａ−Ａｌｄｒｉｃｈ）、１ｍＭのピルビン酸ナトリウム（ＧＩＢＣＯ）、１００ｎＭのデキサメタゾン（Ｓｉｇｍａ−Ａｌｄｒｉｃｈ）、１０ｎｇ／ｍｌのトランスフォーミング増殖因子β１（ＴＧＦ−β１、Ｒ＆Ｄ  Ｓｙｓｔｅｍｓ）、１．５μｇ／ｍｌのファンギゾン（Ｉｎｖｉｔｒｏｇｅｎ  Ｌｉｆｅ  Ｔｅｃｈｎｏｌｏｇｉｅｓ）および５０μｇ／ｍｌのゲンタマイシン（Ｉｎｖｉｔｒｏｇｅｎ  Ｌｉｆｅ  Ｔｅｃｈｎｏｌｏｇｉｅｓ））で、培地は３日毎に新しくして、１８日間培養した。
【００７０】
[0088]関節軟骨損傷のモデルに関して、本発明者らは、Ｖｒｉｅｓ−ｖａｎ  Ｍｅｌｌｅら、２０１１年（ｄｅ  Ｖｒｉｅｓ−ｖａｎ  Ｍｅｌｌｅら、２０１１．Ｔｉｓｓｕｅ  Ｅｎｇ  Ｐａｒｔ  Ｃ  Ｍｅｔｈｏｄｓ  １８：４５〜５３）によって記載されるように、ダイヤモンドでコーティングされたトレフィンドリル（Ｓｙｎｔｈｅｓ）およびバイオプシーパンチを使用して、１２週齢の仔ウシの中手指関節から、直径８ｍｍのバイオプシーを取り出した。続いて、関節の骨軟骨バイオプシーを、高さ４ｍｍに切り取って、６ｍｍ欠損は、軟骨層のみに影響を及ぼす深さおよそ０．４ｍｍ（軟骨欠損）、または骨への深さおよそ１ｍｍ（骨軟骨欠損）のいずれかを創出した。ここでは関節モデルと称されるこれらの関節軟骨および骨バイオプシーを、ＰＢＳで完全にすすいで、３７℃で２４時間、静的にインキュベートした。翌日、軟骨細胞を播種したか、または播種されていないエラスターゼ処理した耳軟骨試料を、適合する高さに合わせて、関節欠損モデルに配置させた。
【００７１】
[0089]次に、脱細胞化された軟骨試料を用いた複合関節モデルを、Ｖｒｉｅｓ−ｖａｎ  Ｍｅｌｌｅら、２０１４年（ｄｅ  Ｖｒｉｅｓ−ｖａｎ  Ｍｅｌｌｅら、２０１４．Ｅｕｒ  Ｃｅｌｌ  Ｍａｔｅｒ  ２７：１１２〜２３）によって記載されるように、マウス皮膚細胞の浸潤を防止するためのＮｅｕｒｏ−Ｐａｔｃｈ膜（Ｂｒａｕｎ、メルズンゲン、ドイツ）下で雌ＮＭＲＩ  ｎｕ／ｎｕマウス（Ｃｈａｒｌｅｓ  Ｒｉｖｅｒ、ウィルミントン、ＭＡ）に皮下移植して、２週、４週、８週または１０週後に収集した。
【００７２】
[0090]続いて、試料を、室温で５日間、４％ホルマリンを使用して固定して、１０％ギ酸を使用して、溶液を３日毎に新しくして、少なくとも７日間、脱灰した。次に、ｐＨが中性になるまで、試料を脱イオン水で洗浄して、アガロース中に包埋して、脱水して、パラフィン中に包埋して、６μｍ厚に切片化した。切片を、Ｎａｒｃｉｓｉら、２０１５年に記載されるように、スライドガラス上に置き、続いて乾燥させて、再水和して、ヘマトキシリン（Ｓｉｇｍａ−Ａｌｄｒｉｃｈ）および２％エオシン（Ｍｅｒｃｋ）または０．４％チオニン溶液（Ｓｉｇｍａ−Ａｌｄｒｉｃｈ）で染色して、脱水して、カバーガラス下に封入した。
【００７３】
[0091]顕微鏡写真は、骨軟骨欠損において、ウシ関節欠損モデルの骨部分由来の細胞、および程度は劣るが、ウシ関節欠損モデルの軟骨部分由来の細胞が、播種していない、脱細胞化された、エラスチンが低減された弾性軟骨に浸潤して、２週〜４週で軟骨を形成する（白い矢頭）ことを示す（図３Ａ、図３Ｂ）。
【００７４】
[0092]図３Ｃおよび図３Ｄに示される軟骨欠損において、石灰化された軟骨の残存層（網掛けの矢頭で示される）が、細胞遊走を阻止するため、ウシ関節欠損モデルの骨部分由来の細胞の浸潤は、防止される。ここで、ウシ関節欠損モデルの軟骨部分由来の細胞のみが、播種されていない、脱細胞化された、エラスチンが低減された弾性軟骨に浸潤して、１０週で安定なままである新たな軟骨を形成する（白い矢頭）。
【００７５】
[0093]エラスチンが低減された弾性軟骨が、移植に先立ってヒト関節軟骨細胞を播種された場合、播種されたヒト関節軟骨細胞は、移植後に、細胞のさらなる浸潤を防止するようであった。図３Ｅおよび図３Ｆにより、エラスチンが低減された弾性軟骨試料（点線の白い輪郭）が、軟骨欠損内に局所的な軟骨形成（白い矢頭）および軟骨様マトリックスの形成を示したことが示される。
【００７６】
[0094]４ｍｍの全層欠損を有する直径１ｃｍの骨軟骨プラグを、人工的な軟骨欠損として調製した。欠損に、スキャフォールド（バイオプシーパンチで４ｍｍに切り取った）、ならびに６，２５×１０６個のヒト関節軟骨細胞（高齢の大腿骨頸部骨折患者の）および１８，７５×１０６個の不死化脂肪由来幹細胞（ＡＳＣ／ＴＥＲＴ１）の混合集団を充填した。市販のＣｈｏｎｄｒｏＧｉｄｅにも、対照として同様に再度播種した。スキャフォールドを欠損中に配置させて、フィブリンシーラント（ＡＲＴＩＳＳ、Ｂａｘｔｅｒ、米国）で固定して、ＮｅｕｒｏＰａｔｃｈ（Ａｅｓｃｕｌａｐ、ドイツ）で覆って、周囲のマウス組織由来の細胞の浸潤を防止した。
【００７７】
[0095]プラグを、１０週齢の雌ＮＭＲＩヌードマウス（Ｃｈａｒｌｅｓ  Ｒｉｖｅｒ、ズルツフェルト、ドイツ）に６週間、皮下移植して、次に取り出して、４％中性緩衝ホルマリンで一晩固定して、ＰＢＳで洗浄して、脱水して、ＵＳＥＤＥＣＡＬＣ（Ｍｅｄｉｔｅ、米国）で脱灰した。続いて、試料をパラフィン中に包埋して、３μｍ〜４μｍ厚で切片化した。脱パラフィン処理後、切片を、全体像染色としてＡＺＡＮで染色し、コラーゲンＩ型（Ａｂｃａｍ、英国）とコラーゲンＩＩ型（Ｔｈｅｒｍｏ  Ｆｉｓｈｅｒ  Ｓｃｉｅｎｔｉｆｉｃ、米国、クローン２Ｂ１．５または６Ｂ３）を区別するために、免疫染色を実施した。
【００７８】
[0096]ｉｎ  ｖｉｖｏでの骨軟骨プラグモデルにおいてｈＡＣおよびＡＳＣ−ＴＥＲＴ１の同時培養物を再度播種した耳介軟骨および対照スキャフォールドを図４に示す。
[0097]スキャフォールドの積み重ねを試験するために厚い軟骨を有する領域に焦点を当て、骨軟骨プラグを、上述したように調製した。より若い軟骨細胞（ヒトドナーからはほぼ入手不可能）の性能を試験するために、ウシ軟骨細胞を収集して、単独で、またはＡＳＣ／ＴＥＲＴ１と組み合わせて使用した。スキャフォールド１個当たり０．２５×１０６個の細胞として、ウシ関節軟骨細胞を単独で、またはＡＳＣ／ＴＥＲＴ１との同時培養物を播種した、標準化した４ｍｍのスキャフォールドを、欠損に充填した。プラグを、ヌードマウスに６週間、皮下移植して、上述したように組織学的に分析した。
【００７９】
[0098]ｉｎ  ｖｉｖｏでの骨軟骨プラグモデルにおいて、ウシ軟骨細胞を単独で、または同時培養物を再度播種した耳介軟骨を図５に示す。
【図１Ａ】
2020536683.tif 000002
【図１Ｂ】
2020536683.tif 000003
【図１Ｃ】
2020536683.tif 000004
【図１Ｄ】
2020536683.tif 000005
【図１Ｅ】
2020536683.tif 000006
【図１Ｆ】
2020536683.tif 000007
【図１Ｇ】
2020536683.tif 000008
【図２Ａ】
2020536683.tif 000009
【図２Ｂ】
2020536683.tif 000010
【図２Ｃ】
2020536683.tif 000011
【図２Ｄ】
2020536683.tif 000012
【図３Ａ】
2020536683.tif 000013
【図３Ｂ】
2020536683.tif 000014
【図３Ｃ】
2020536683.tif 000015
【図３Ｄ】
2020536683.tif 000016
【図３Ｅ】
2020536683.tif 000017
【図３Ｆ】
2020536683.tif 000018
【図４】
2020536683.tif 000019
【図５】
2020536683.tif 000020
【国際調査報告】
2020536683.tif 000021
2020536683.tif 000022
2020536683.tif 000023